【手続補正書】
【提出日】平成20年9月9日(2008.9.9)
【手続補正１】
【補正対象書類名】特許請求の範囲
【補正対象項目名】全文
【補正方法】変更
【補正の内容】
【特許請求の範囲】
【請求項１】
地図情報を記憶する情報記憶手段を備えた通信装置であって、
自装置の位置情報と所定の対象を表す識別情報とを、対象の位置情報を複数記憶している記憶装置へ送信するように制御するとともに、
送信した識別情報が表す対象の位置が、送信した自装置の位置情報に基づいた領域に含まれる該対象の位置情報を前記記憶装置から受信し、
該受信した対象の位置情報が示す位置を含んだ地図情報が前記情報記憶手段に記憶されていない場合には、地図情報を記憶している装置から地図情報を受信する手段
を有することを特徴とする通信装置。
【請求項２】
地図情報を記憶する情報記憶手段を備えた通信装置であって、
自装置の位置情報と所定の対象を表す識別情報とを、対象の位置情報を複数記憶している記憶装置へ送信するように制御するとともに、
送信した識別情報が表す対象の位置が、送信した自装置の位置情報に基づいた領域に含まれる該対象の位置情報を前記記憶装置から受信し、
該受信した対象の位置情報が示す位置を含んだ地図情報が旧の地図情報の場合には、地図情報を記憶している装置から地図情報を受信する手段
を有することを特徴とする通信装置。
【請求項３】
前記受信した地図情報を表示することを特徴とする請求項１又は２に記載の通信装置。
【請求項４】
前記情報記憶手段に記憶された地図情報に付された新旧情報に基づいて旧の地図情報か否かが決まることを特徴とする請求項２又は３に記載の通信装置。
【請求項５】
前記受信した地図情報を前記情報記憶手段に記憶することを特徴とする請求項１乃至４のいずれか１項に記載の通信装置。
【請求項６】
前記位置情報に基づいて地図情報を表示する表示手段を有することを特徴とする請求項１乃至５のいずれか１項に記載の通信装置。
【請求項７】
前記表示手段は、前記受信した対象の位置情報に基づいて地図上にマークを表示することを特徴とする請求項６に記載の通信装置。
【請求項８】
地図情報を記憶する情報記憶手段を備えた通信装置における方法であって、
自装置の位置情報と所定の対象を表す識別情報とを、対象の位置情報を複数記憶している記憶装置へ送信するように制御するステップと、
送信した識別情報が表す対象の位置が、送信した自装置の位置情報に基づいた領域に含まれる該対象の位置情報を前記記憶装置から受信するステップと、
該受信した対象の位置情報が示す位置を含んだ地図情報が前記情報記憶手段に記憶されていない場合に、地図情報を記憶している装置から地図情報を受信するステップと
を有することを特徴とする方法。
【請求項９】
地図情報を記憶する情報記憶手段を備えた通信装置における方法であって、
自装置の位置情報と所定の対象を表す識別情報とを、対象の位置情報を複数記憶している記憶装置へ送信するように制御するステップと、
送信した識別情報が表す対象の位置が、送信した自装置の位置情報に基づいた領域に含まれる該対象の位置情報を前記記憶装置から受信するステップと、
該受信した対象の位置情報が示す位置を含んだ地図情報が旧の地図情報の場合に、地図情報を記憶している装置から地図情報を受信するステップと
を有することを特徴とする方法。
【請求項１０】
前記受信した地図情報を表示するステップ
を有することを特徴とする請求項８又は９に記載の方法。
【請求項１１】
前記情報記憶手段に記憶された地図情報に付された新旧情報に基づいて旧の地図情報か否かが決まることを特徴とする請求項９又は１０に記載の方法。
【請求項１２】
前記受信した地図情報を前記情報記憶手段に記憶するステップ
を有することを特徴とする請求項８乃至１１のいずれか１項に記載の方法。
【請求項１３】
前記位置情報に基づいて地図情報を表示するステップ
を有することを特徴とする請求項８乃至１２のいずれか１項に記載の方法。
【請求項１４】
前記表示するステップでは、前記受信した対象の位置情報に基づいて地図上にマークを表示することを特徴とする請求項１３に記載の方法。
【請求項１５】
請求項８ないし１４のいずれか１項に記載の方法をコンピュータに実行させるためのプログラム。
【手続補正２】
【補正対象書類名】明細書
【補正対象項目名】発明の名称
【補正方法】変更
【補正の内容】
【発明の名称】通信装置、方法及びプログラム
【手続補正３】
【補正対象書類名】明細書
【補正対象項目名】０００８
【補正方法】変更
【補正の内容】
【０００８】
上記課題を解決するため、本通信装置は、
地図情報を記憶する情報記憶手段を備えた通信装置であって、
自装置の位置情報と所定の対象を表す識別情報とを、対象の位置情報を複数記憶している記憶装置へ送信するように制御するとともに、
送信した識別情報が表す対象の位置が、送信した自装置の位置情報に基づいた領域に含まれる該対象の位置情報を前記記憶装置から受信し、
該受信した対象の位置情報が示す位置を含んだ地図情報が前記情報記憶手段に記憶されていない場合には、地図情報を記憶している装置から地図情報を受信する手段
を有する。
本通信装置は、
地図情報を記憶する情報記憶手段を備えた通信装置であって、
自装置の位置情報と所定の対象を表す識別情報とを、対象の位置情報を複数記憶している記憶装置へ送信するように制御するとともに、
送信した識別情報が表す対象の位置が、送信した自装置の位置情報に基づいた領域に含まれる該対象の位置情報を前記記憶装置から受信し、
該受信した対象の位置情報が示す位置を含んだ地図情報が旧の地図情報の場合には、地図情報を記憶している装置から地図情報を受信する手段
を有する。
【手続補正４】
【補正対象書類名】明細書
【補正対象項目名】０００９
【補正方法】変更
【補正の内容】
【０００９】
また、本通信方法は、
地図情報を記憶する情報記憶手段を備えた通信装置における方法であって、
自装置の位置情報と所定の対象を表す識別情報とを、対象の位置情報を複数記憶している記憶装置へ送信するように制御するステップと、
送信した識別情報が表す対象の位置が、送信した自装置の位置情報に基づいた領域に含まれる該対象の位置情報を前記記憶装置から受信するステップと、
該受信した対象の位置情報が示す位置を含んだ地図情報が前記情報記憶手段に記憶されていない場合に、地図情報を記憶している装置から地図情報を受信するステップと
を有する。
本通信方法は、
地図情報を記憶する情報記憶手段を備えた通信装置における方法であって、
自装置の位置情報と所定の対象を表す識別情報とを、対象の位置情報を複数記憶している記憶装置へ送信するように制御するステップと、
送信した識別情報が表す対象の位置が、送信した自装置の位置情報に基づいた領域に含まれる該対象の位置情報を前記記憶装置から受信するステップと、
該受信した対象の位置情報が示す位置を含んだ地図情報が旧の地図情報の場合に、地図情報を記憶している装置から地図情報を受信するステップと
を有する。
本プログラムは、上記方法をコンピュータに実行させるためのプログラムである。
【手続補正５】
【補正対象書類名】明細書
【補正対象項目名】００１０
【補正方法】変更
【補正の内容】
【００１０】
本発明の実施例によれば、GPS機能を使用した携帯電話の利便性をより高めることができるＧＰＳ機能を備えた通信装置、方法及びプログラムを実現できる。
また、通信装置の記憶手段に地図情報が記憶されていない場合でも、地図情報を取得することができる。